【手続補正書】
【提出日】平成15年9月25日(2003.9.25)
【手続補正１】
【補正対象書類名】特許請求の範囲
【補正対象項目名】全文
【補正方法】変更
【補正の内容】
【特許請求の範囲】
【請求項１】
カーボンナノチューブの側壁を誘導体化する方法であって：
（ａ）複数のカーボンナノチューブを選択することと；
（ｂ）前記複数のカーボンナノチューブとジアゾニウム種とを反応させて、誘導体化カーボンナノチューブを形成することと；
を含む方法。
【請求項２】
前記複数のカーボンナノチューブは複数の単層カーボンナノチューブである、請求項１に記載の方法。
【請求項３】
前記誘導体化カーボンナノチューブを溶媒中に分散させることをさらに含む、請求項２に記載の方法。
【請求項４】
前記ジアゾニウム種を予備形成することをさらに含む、請求項２に記載の方法。
【請求項５】
（ａ）ジアゾニウム種の前駆体と前記複数の単層カーボンナノチューブとを混合することと；
（ｂ）前記ジアゾニウム種を発生させることと；
をさらに含む、請求項２に記載の方法。
【請求項６】
前記複数の単層カーボンナノチューブは前記ジアゾニウム種と電気化学的に反応する、請求項２に記載の方法。
【請求項７】
前記複数の単層カーボンナノチューブは前記ジアゾニウム種と熱的に反応する、請求項２に記載の方法。
【請求項８】
前記複数の単層カーボンナノチューブは前記ジアゾニウム種と光化学的に反応する、請求項２に記載の方法。
【請求項９】
前記ジアゾニウム種はアリールジアゾニウム種を含む、請求項２に記載の方法。
【請求項１０】
前記ジアゾニウム種は、アルキルジアゾニウム種、アルケニルジアゾニウム種、アルキニジアゾニウム種、及びこれらの組合せからなる群から選択される種を含む、請求項２に記載の方法。
【請求項１１】
前記複数のカーボンナノチューブはカーボンナノチューブの集合体であり、前記方法は、（ａ）前記集合体を、前記ジアゾニウム種を含む溶液中に浸漬させることと、（ｂ）前記集合体に電位を与えることと、をさらに含む、請求項１に記載の方法。
【請求項１２】
前記電位は負電位である、請求項１１に記載の方法。
【請求項１３】
前記溶液は支持電解質種をさらに含む、請求項１１に記載の方法。
【請求項１４】
前記ジアゾニウム種はジアゾニウム塩を含む、請求項２に記載の方法。
【請求項１５】
前記ジアゾニウム塩は、アリールジアゾニウム塩、アルキルジアゾニウム塩、アルケニルジアゾニウム塩、アルキニジアゾニウム塩、及びこれらの組合せからなる群から選択される塩を含む、請求項１４に記載の方法。
【請求項１６】
カーボンナノチューブの炭素原子と結合した部分の量は、部分対炭素の比で少なくとも約１個の部分対４０個の炭素原子である、請求項２に記載の方法。
【請求項１７】
カーボンナノチューブの炭素原子と結合した部分の量は、部分対炭素の比で少なくとも約１個の部分対３０個の炭素原子である、請求項２に記載の方法。
【請求項１８】
前記反応は、最大約２００℃の温度での熱反応である、請求項２に記載の方法。
【請求項１９】
前記反応は、最大約６０℃の温度での熱反応である、請求項２に記載の方法。
【請求項２０】
前記誘導体化カーボンナノチューブから官能部分を除去することをさらに含む、請求項２に記載の方法。
【請求項２１】
前記誘導体化カーボンナノチューブは少なくとも約２５０℃の温度に加熱される、請求項２０に記載の方法。
【請求項２２】
光化学的反応工程は紫外光源の使用を含む、請求項８に記載の方法。
【請求項２３】
光化学的反応工程は可視光源の使用を含む、請求項８に記載の方法。
【請求項２４】
前記ジアゾニウム種の前駆体は前記ジアゾニウム種のアニリン誘導体前駆体であり、前記ジアゾニウム種はナイトライトを用いて発生する、請求項５に記載の方法。
【請求項２５】
分子は前記誘導体化カーボンナノチューブと共有結合し、該分子は、分子スイッチ、分子ワイヤ、及び分子電子装置からなる群から選択される役割において機能するために使用可能である、請求項２に記載の方法。
【請求項２６】
（ａ）複数のカーボンナノチューブを選択することと；
（ｂ）前記複数のカーボンナノチューブとジアゾニウム種とを反応させて、誘導体化カーボンナノチューブを形成することと；
を含む方法によって製造された生産物。
【請求項２７】
（ａ）ジアゾニウム種を利用して誘導体化された複数の誘導体化カーボンナノチューブと；
（ｂ）誘導体化された複数のカーボンナノチューブが分散する溶媒と；
を有する方法によって製造された単層カーボンナノチューブの溶液。
【請求項２８】
（ａ）誘導体化カーボンナノチューブと；
（ｂ）前記誘導体化カーボンナノチューブに共有結合で付着した分子であって、分子スイッチ、分子ワイヤ、及び分子電子装置からなる群から選択される役割において機能するために使用可能である分子と；
を含む生産物。
【請求項２９】
前記誘導体化カーボンナノチューブは誘導体化単層カーボンナノチューブである、請求項２８に記載の生産物。
【請求項３０】
前記分子は分子ワイヤであり、該分子ワイヤは分子電子装置に有効に接続する、請求項２９に記載の生産物。
【請求項３１】
前記分子ワイヤはオリゴ（フェニレンエチニレン）分子ワイヤを含む、請求項２９に記載の生産物。
【請求項３２】
カーボンナノチューブを誘導体化する方法であって：
（ａ）カーボンナノチューブの集合体を選択することと；
（ｂ）前記集合体を、ジアゾニウム種を含む溶液中に浸漬させることと；
（ｃ）前記集合体に電位を与えて、前記集合体と前記ジアゾニウム種とを電気化学的に反応させることと；
を含む方法。
【請求項３３】
前記カーボンナノチューブは単層カーボンナノチューブである、請求項３２に記載の方法。
【請求項３４】
前記集合体はカーボンナノチューブのクロスバー構造である、請求項３３に記載の方法。
【請求項３５】
パターン形成した表面上の流体の流れによって前記集合体を製造することをさらに含む、請求項３３に記載の方法。
【請求項３６】
官能基化分子を前記集合体に接続することをさらに含む、請求項３３に記載の方法。
【請求項３７】
前記官能基化分子は、分子スイッチ及び分子ワイヤからなる群から選択される役割において機能する分子を含む、請求項３６に記載の方法。
【請求項３８】
分子電子装置を前記集合体に有効に接続することをさらに含む、請求項３３に記載の方法。
【請求項３９】
（ａ）単層カーボンナノチューブの集合体を選択することと；
（ｂ）前記集合体を、ジアゾニウム種を含む溶液中に浸漬させることと；
（ｃ）前記集合体に電位を与えて、前記集合体と前記ジアゾニウム種とを電気化学的に反応させることと；
を含む方法によって製造された生産物。
【請求項４０】
（ａ）ジアゾニウム種を利用してカーボンナノチューブに誘導体化される官能部分を用いて該カーボンナノチューブを誘導体化して、誘導体化カーボンナノチューブを形成することと；
（ｂ）前記誘導体化カーボンナノチューブをポリマー中に分散させることと；
を含む、ポリマー材料の製造方法。
【請求項４１】
前記カーボンナノチューブは単層カーボンナノチューブである、請求項４０に記載の方法。
【請求項４２】
前記官能部分は前記ポリマーと化学的に結合する、請求項４１に記載の方法。
【請求項４３】
前記官能部分は前記ポリマーと化学的に結合しない、請求項４１に記載の方法。
【請求項４４】
前記官能部分は分散工程後に除去される、請求項４１に記載の方法。
【請求項４５】
除去工程は、前記誘導体化カーボンナノチューブ及び前記ポリマーの分散体を少なくとも約２５０℃の温度に加熱することを含む、請求項４４に記載の方法。
【請求項４６】
前記官能部分は硬化剤と反応するために使用可能である、請求項４１に記載の方法。
【請求項４７】
前記ポリマーは前記硬化剤を含む、請求項４６に記載の方法。
【請求項４８】
前記硬化剤は、前記誘導体化カーボンナノチューブ及び前記ポリマーの分散体中に分散される、請求項６に記載の方法。
【請求項４９】
前記硬化剤は、ジアミン、ポリメルカプタン、及びフェノール含有材料からなる群から選択される物質を含む、請求項４６に記載の方法。
【請求項５０】
前記官能部分はエポキシ部分と反応するために使用可能である、請求項４１に記載の方法。
【請求項５１】
前記ポリマーは前記エポキシ部分を含む、請求項５０に記載の方法。
【請求項５２】
前記誘導体化カーボンナノチューブ及び前記ポリマーの分散体を硬化することをさらに含む、請求項４６に記載の方法。
【請求項５３】
前記誘導体化カーボンナノチューブ及び前記ポリマーの分散を硬化することをさらに含む、請求項５０に記載の方法。
【請求項５４】
（ａ）ジアゾニウム種を利用して誘導体化された誘導体化カーボンナノチューブと；
（ｂ）前記誘導体化カーボンナノチューブが分散するポリマーと；
を含むポリマー材料。
【請求項５５】
前記カーボンナノチューブは単層カーボンナノチューブである、請求項５４に記載のポリマー材料。
【請求項５６】
前記誘導体化カーボンナノチューブ及び前記ポリマーは架橋されている、請求項５５に記載のポリマー材料。
【請求項５７】
（ａ）官能基を用いてカーボンナノチューブを誘導体化して、誘導体化カーボンナノチューブを形成することにおいて、
（ｉ）前記官能基はジアゾニウム種を利用して前記カーボンナノチューブに誘導体化され；
（ｉｉ）前記官能基は重合することができることと；
（ｂ）前記誘導体化カーボンナノチューブを重合して、前記官能基からポリマーを成長させることと；
を含む、ポリマー材料の製造方法。
【請求項５８】
前記カーボンナノチューブは単層カーボンナノチューブである、請求項５７に記載の方法。
【請求項５９】
重合工程は、ラジカル重合、カチオン重合、アニオン重合、縮合重合、開環重合、メタセシス重合、及び開環メタセシス（ＲＯＭＰ）重合からなる群から選択される手法を含む、請求項５８に記載の方法。
【請求項６０】
（ａ）官能基を用いてカーボンナノチューブを誘導体化して、誘導体化カーボンナノチューブを形成することにおいて、
（ｉ）前記官能基はジアゾニウム種を利用して前記カーボンナノチューブに誘導体化され；
（ｉｉ）前記官能基は重合することができることと；
（ｂ）前記誘導体化カーボンナノチューブを重合して、前記官能基からポリマーを成長させることと；
を含む方法によって製造されたポリマー材料。
【請求項６１】
前記カーボンナノチューブは単層カーボンナノチューブである、請求項６０に記載のポリマー材料。
【請求項６２】
重合工程は、ラジカル重合、カチオン重合、アニオン重合、縮合重合、開環重合、メタセシス重合、及び開環メタセシス（ＲＯＭＰ）重合からなる群から選択される手法を含む、請求項６１に記載のポリマー材料。